(57)【要約】【課題】荷取りから架設までを連続して行える手段の提供を課題とする。【解決手段】複数の自走式走行輪２１と、これら自走式走行輪２１上に支持された車体２２と、この車体２２上に立設されたエレクションタワー２３と、このエレクションタワー２３に対して橋脚１００を引き寄せる吊り込み装置２４と、エレクションタワー２３に対して橋脚１００を固定する固定手段２５とを備える部材架設用移動台車２０を採用した。また、この部材架設用移動台車２０を用いた橋梁架設方法を採用した。【選択図】　　　図１
2004115174.tif 000002
【特許請求の範囲】
【請求項１】
複数の自走式走行輪と、これら自走式走行輪上に支持された車体と、該車体上に立設されたエレクションタワーと、該エレクションタワーに対して部材を引き寄せる吊り込み装置と、前記エレクションタワーに対して前記部材を固定する固定手段とを備えることを特徴とする部材架設用移動台車。
【請求項２】
請求項１に部材架設用移動台車において、
前記エレクションタワーに固定された前記部材を昇降させる昇降装置がさらに備えられていることを特徴とする部材架設用移動台車。
【請求項３】
請求項１または請求項２に記載の部材架設用移動台車において、
前記各自走式走行輪は、前記車体に対して鉛直軸線回りに走行方向を転換可能であることを特徴とする部材架設用移動台車。
【請求項４】
請求項１から請求項３の何れかに記載の部材架設用移動台車において、
前記車体は、走行面に対する自らの傾きが調整可能であることを特徴とする部材架設用移動台車。
【請求項５】
請求項１から請求項４の何れかに記載の部材架設用移動台車において、
前記車体には、転倒防止用のカウンターウェイトが設けられていることを特徴とする部材架設用移動台車。
【請求項６】
請求項１から請求項５に記載の部材架設用移動台車において、
前記エレクションタワーには、前記部材の鉛直度を測定する鉛直度測定手段が設けられていることを特徴とする部材架設用移動台車。
【請求項７】
請求項１から請求項６の何れかに記載の部材架設用移動台車において、
前記エレクションタワーは、高さ調整可能であることを特徴とする部材架設用移動台車。
【請求項８】
請求項１から請求項７の何れかに記載の部材架設用移動台車において、
前記エレクションタワーには、前記部材の形状に応じて、該部材を該エレクションタワーに保持させるための補間部材が設けられていることを特徴とする部材架設用移動台車。
【請求項９】
請求項１から請求項８の何れかに記載の部材架設用移動台車により、前記部材の荷取りと、該部材の搬送と、該部材を据え付け状態に保持する据え付けとを連続して行うことを特徴とする部材架設用移動台車を用いた橋梁部材架設方法。
【請求項１０】
請求項９に記載の、部材架設用移動台車を用いた橋梁部材架設方法において、
前記部材架設用移動台車を少なくとも２台以上用いて、水平に寝かせたままの前記部材の前記荷取りと前記搬送と前記据え付けを行うことを特徴とする部材架設用移動台車を用いた橋梁部材架設方法。
【発明の詳細な説明】
【０００１】
【発明の属する技術分野】
本発明は、部材架設用移動台車と、これを用いた橋梁部材架設方法とに関する。
【０００２】
【従来の技術】
従来のクレーンを用いた橋梁部材架設方法の一例について、図１０及び図１１を参照して説明する。
まず、架設現場に広いヤード幅が確保できるかを協議し、確保可能である場合には、図１０に示す架設方法を採用する。すなわち、橋梁架設場所に広いヤード幅の作業場所を確保した後、ここにクレーン１を予め設置する。なお、同図における符号２は橋脚設置位置を示し、また、符号３はベント機材などを仮置きする機材ヤードを示し、また符号４は橋梁用部材の荷下ろし場所を示している。
【０００３】
搬送用トラック５により、橋脚６をクレーン１の近傍に搬入する。そして、クレーン１が、搬送用トラック５の荷台に搭載されている橋梁用部材である橋脚６を吊り上げてから水平方向に旋回させ、さらに荷下ろし場所４に下ろすことで荷取りする。
この荷下ろし場所４では、各橋脚６の地組や、これら橋脚６への足場の取り付けなどを行う。このようにして組み上げられた橋脚６は、再びクレーン１により吊り上げられ、そのまま水平方向に旋回移動して正規の架設場所２へと搬送されて設置される。
【０００４】
一方、架設現場に広いヤード幅が確保できず、しかも架設現場と荷取り場所が離れている場合には、図１１に示す架設方法を採用する。すなわち、荷下ろし用のクレーン６と橋脚架設用のクレーン７とを予め設置するとともに、移動台車８を搬入する。なお、同図における符号１０は一般道路横断部分を示している。
【０００５】
このような狭隘な架設現場では、搬送用トラック１１により、橋脚１２をクレーン６の近傍に搬入する。そして、クレーン６が、搬送用トラック１１の荷台に搭載されている橋脚１２を吊り上げてから搬送用トラック１１を退避させる。その後、吊り上げている橋脚１２の真下に移動台車８を搬入し、その荷台上に載置することで荷取りが完了する。この時、必要に応じて移動台車８上で地組を行う。
そして、クレーン６のワイヤを切り離した後、橋脚１２を移動台車８で架設現場まで搬送する。架設現場では、クレーン７を使って橋脚１２を吊り上げて設置する。以上の工程を繰り返すことにより、２台のクレーン６，７で橋梁の橋脚架設を進行することができる。
【０００６】
同様に、限られた架設現場で橋梁の構築・解体を効率よく行う手段が、下記特許文献１に開示されている。すなわち、この特許文献１における橋梁の構築では、柱頂部及び梁部からなるＴ字形の橋梁部材を、架設現場の長手方向に沿って仮置きし、これをリフトアップしてその下に柱中間部を嵌め込んだ後、前記Ｔ字形の橋梁部材を鉛直軸線回りに直角に回転させる架設方法が開示されている。
【０００７】
【特許文献１】
特開平８−２９６２１０公報（第４頁、図１−図２）
【０００８】
【発明が解決しようとする課題】
ところで、上述の図１１で説明した方法と、特許文献１で開示されている方法の何れの場合においても、作業範囲が限られる狭隘な架設現場では、架設現場と荷取り場所が離れていると、以下に説明する問題が発生する。
すなわち、
１）少なくとも、荷取り用のクレーン６や、移動台車８や、橋脚架設用のクレーン７などの３種類の重機が必要となる。
２）荷取り用のクレーン６、移動台車８、橋脚架設用のクレーン７の３種類の重機を使い分ける関係上、橋脚１２の移し替え作業が必要になるので、その都度、作業が中断して不連続になり、作業効率が悪い。これに伴い、作業時間の短縮化が難しくなるため、作業工程の長期化を招く。
３）複数種類の重機を使用する上に、それらのオペレータも各々必要となることから作業コストが増大しやすい。
４）クレーンは横方向への転倒防止にアウトリガーを張り出すため、クレーン設置部はヤードを広く取ることから交通規制が必要となり、一般車両の交通に支障を与える。
という問題である。
【０００９】
本発明は、上記の事情に鑑みてなされたものであり、荷取りから架設までを連続して行える手段の提供を目的とする。
【００１０】
【課題を解決するための手段】
本発明は、上記課題を解決するために以下の手段を採用した。
すなわち、請求項１に記載の部材架設用移動台車は、複数の自走式走行輪と、これら自走式走行輪上に支持された車体と、該車体上に立設されたエレクションタワーと、該エレクションタワーに対して部材を引き寄せる吊り込み装置と、前記エレクションタワーに対して前記部材を固定する固定手段とを備えることを特徴とする。
上記請求項１に記載の部材架設用移動台車によれば、部材の近傍に接近するように、各自走式走行輪によって車体を移動させる。その状態で、吊り込み装置によって部材を吊り上げながらエレクションタワーに接近させ、さらにこの部材を、架設時の組み付け状態となるように固定手段でエレクションタワーに固定することで、荷取り作業が完了する。続いて、その固定保持状態のまま、架設現場まで部材を搬送することで搬送作業が完了する。続いて、部材の架設位置への組み付けと、固定手段による部材の解除とを行うことで架設作業が完了する。このようにして、荷取りから架設までを、部材の受け渡し作業なく連続して行うことができる。
【００１１】
請求項２に記載の部材架設用移動台車は、請求項１に部材架設用移動台車において、前記エレクションタワーに固定された前記部材を昇降させる昇降装置がさらに備えられていることを特徴とする。
上記請求項２に記載の部材架設用移動台車によれば、部材の高さ位置を昇降装置により上げ下げすることで、架設時の組み付け場所に応じた高さに調整することができる。
【００１２】
請求項３に記載の部材架設用移動台車は、請求項１または請求項２に記載の部材架設用移動台車において、前記各自走式走行輪が、前記車体に対して鉛直軸線回りに走行方向を転換可能であることを特徴とする。
上記請求項３に記載の部材架設用移動台車によれば、鉛直軸線回りに各自走式走行輪の向きを転向させることで、車体の向きを変えることなく、何れの水平方向にも移動することができる。
【００１３】
請求項４に記載の部材架設用移動台車は、請求項１から請求項３の何れかに記載の部材架設用移動台車において、前記車体が、走行面に対する自らの傾きが調整可能であることを特徴とする。
上記請求項４に記載の部材架設用移動台車によれば、荷取り場所や走行面や架設場所における地面の傾斜状態に応じて自らの傾きを調整することで、エレクションタワーの鉛直度を一定に確保することができる。
【００１４】
請求項５に記載の部材架設用移動台車は、請求項１から請求項４の何れかに記載の部材架設用移動台車において、前記車体に、転倒防止用のカウンターウェイトが設けられていることを特徴とする。
上記請求項５に記載の部材架設用移動台車によれば、エレクションタワーの設置による重心位置の偏りを相殺することができる。
【００１５】
請求項６に記載の部材架設用移動台車は、請求項１から請求項５に記載の部材架設用移動台車において、前記エレクションタワーに、前記部材の鉛直度を測定する鉛直度測定手段が設けられていることを特徴とする。
上記請求項６に記載の部材架設用移動台車によれば、架設時における部材の鉛直度を確実に確認することができる。
【００１６】
請求項７に記載の部材架設用移動台車は、請求項１から請求項６の何れかに記載の部材架設用移動台車において、前記エレクションタワーが、高さ調整可能であることを特徴とする。
上記請求項７に記載の部材架設用移動台車によれば、架設場所の上空に障害物がある場合など、必要に応じてエレクションタワーの高さを低くすることができる。
【００１７】
請求項８に記載の部材架設用移動台車は、請求項１から請求項７の何れかに記載の部材架設用移動台車において、前記エレクションタワーに、前記部材の形状に応じて、該部材を該エレクションタワーに保持させるための補間部材が設けられていることを特徴とする。
上記請求項８に記載の部材架設用移動台車によれば、橋脚基部や隅角部などの特有の形状を有する部材をもエレクションタワーに保持させることができる。さらには、補間部材上に部材を載置する場合には、天井への部材の取り付けができるようになる。
【００１８】
請求項９に記載の、部材架設用移動台車を用いた橋梁部材架設方法は、請求項１から請求項８の何れかに記載の部材架設用移動台車により、前記部材の荷取りと、該部材の搬送と、該部材を据え付け状態に保持する据え付けとを連続して行うことを特徴とする。
上記請求項９に記載の、部材架設用移動台車を用いた橋梁部材架設方法によれば、荷取りから架設までを、部材の受け渡し作業なく連続して行うことができるので、作業時間の短縮化と、作業性の向上と、作業コストの減少と、安全性の向上と、所用作業ヤード面積の縮小化との全てを達成できる。
【００１９】
請求項１０に記載の、部材架設用移動台車を用いた橋梁部材架設方法は、請求項９に記載の、部材架設用移動台車を用いた橋梁部材架設方法において、前記部材架設用移動台車を少なくとも２台以上用いて、水平に寝かせたままの前記部材の前記荷取りと前記搬送と前記据え付けを行うことを特徴とする。
上記請求項１０に記載の、部材架設用移動台車を用いた橋梁部材架設方法によれば、水平方向に長い梁状部材でも、その各端部を各部材架設用移動台車で両端支持することにより、架設作業を行うことができる。
【００２０】
【発明の実施の形態】
本発明の部材架設用移動台車およびこれを用いた橋梁部材架設方法の一実施形態を、図面を参照しながら以下に説明するが、本発明がこれのみに限定解釈されるものでないことは勿論である。
【００２１】
図１に示すように、本実施形態の部材架設用移動台車２０は、複数の自走式走行輪２１と、これら自走式走行輪上２１に支持された車体２２と、この車体２２上に立設されたエレクションタワー２３と、このエレクションタワー２３に対して橋脚１００（部材）を引き寄せる吊り込み装置２４と、エレクションタワー２３に対して橋脚１００を固定する固定手段２５と、エレクションタワー２３に固定された橋脚１００を昇降させる昇降装置２６と、転倒防止用のカウンターウェイト２７とを備えて構成されている。
【００２２】
各自走式走行輪２１は、それぞれ走行駆動機構を有する多輪駆動式であり、自走することが可能となっている。また、これら自走式走行輪２１は、車体２２に対して、鉛直軸線回りの３６０°方向に走行方向を転換することが可能となっている。これにより、鉛直軸線回りに各自走式走行輪２１の向きを同一方向に転向させることで、車体２２の向きを変えることなく、何れの水平方向にも移動することができる。すなわち、図１に示す紙面左右方向への走行に加えて、同図の紙面垂直方向への走行も可能となっている。
【００２３】
車体２２は、概略、水平な四角板形状を有しており、走行方向前後に運転席２２ａを備えている。また、この車体２２は、各自走式走行輪２１との間にレベル調整機構を備えており、走行面に対する自らの傾きを任意に調整することが可能となっている。
【００２４】
エレクションタワー２３は、車体２２上の一側縁部近傍に、鉛直に立設されたトラス構造の柱であり、斜材であるストラット２３ａにより支持されている。このストラット２３ａにより、橋脚１００を保持した状態のエレクションタワー２３と、車体２２との間の接続箇所に応力集中が生じるのを防ぎ、エレクションタワー２３の転倒を防ぐものとなっている。
また、このエレクションタワー２３には、その鉛直度を測定する鉛直度測定装置（鉛直度測定手段。図示せず。）が備えられており、その鉛直度を測定することで、保持している橋脚１００の鉛直度を確認することが可能となっている。これにより、架設現場で橋脚１００を架設する際に、橋脚１００の鉛直度を確認し、必要に応じて前記レベル調整機構で車体２２の傾きまたは、固定手段２５位置を調整することで、橋脚１００の鉛直度を調整することができる。
また、このエレクションタワー２３は、その上端部が分割可能な上端分割部２３ｘ（図５において後述する。）となっており、必要に応じてこれを取り外すことで、高さ調整が可能となっている。
【００２５】
吊り込み装置２４は、橋脚１００に接続されるフック付きのワイヤ２４ａと、このワイヤ２４ａを、エレクションタワー２３の上端から下端に導く複数のプーリ２４ｂと、これらプーリ２４ｂを経て車体２２上に導かれたワイヤ２４ａを巻き取るウインチ２４ｃとを備えている。
昇降装置２６は、図１及び図２（ａ），（ｂ）に示すように、エレクションタワー２３の側部に対して、鉛直方向に沿うように固定された一対のレール２６ａ（図１では図示略。）と、これらレール２６ａに沿って上下動する昇降板２６ｂと、この昇降板２６ｂを吊り上げるワイヤ２６ｃと、このワイヤ２６ｃを巻き取る前記ウインチ２４ｃとで構成されている。なお、ウインチ２４ｃは、ワイヤ２４ｃの巻き取りとワイヤ２６ｃの巻き取りとを切り替えて行える複動式となっている。
【００２６】
固定手段２５は、図１及び図２（ａ）に示すように、昇降板２６ｂの外側面に固定され、間に橋脚１００を挟み込む一対の固定部材２５ａと、これら固定部材２５ａの内側に設けられた接続部２５ｂと、各固定部材２５ａ間の間隔を接近または離間させる調整機構（図示せず）とを備えている。
接続部２５ｂは、橋脚１００に設けられた架設用固定部１００ａを固定することが可能となっている。架設用固定部１００ａは、架設時の保持固定にのみ用いられるものであるため、架設後には不要となり、切断撤去される。
なお、固定手段２５は、同図に示す四角柱形状の橋脚１００に限らず、例えば図３に示すような円柱形状の橋脚１００Ａも保持することが可能である。また、部材固定位置を補正するためや架設時の微調整のために、昇降板２６ｂと固定部材２５Ａは横方向へ移動する機構（図示せず）を備えている。
【００２７】
カウンターウェイト２７は、橋脚１００を保持した際に生じる車体バランスの偏りを打ち消すものであり、車体２２上の、エレクションタワー２３が立設された側縁とは反対側の側縁に配置されている。
【００２８】
以上説明の構成を有する本実施形態の部材架設用移動台車２０を用いた橋梁架設方法について、図４（ａ），（ｂ）を参照しながら以下に説明する。ここでは、架設現場に広いヤード幅が確保できず、しかも架設現場と荷取り場所が離れている場合について説明する。
【００２９】
まず、荷取り場所に部材架設用移動台車２０を搬入し、橋脚１００を載せた搬入用トラック１０１の後方に配置する。そして、ウインチ２４ｃを逆回転させることでワイヤ２４ａを伸展させ、その先端のフックを橋脚１００の端部に接続する。この状態が図４（ａ）の状態であり、その後、ウインチ２４ｃを正回転させてワイヤ２４ａを巻き上げることで、寝ている状態の橋脚１００を徐々に引き寄せながら立ち上げていく。この時、橋脚１００の移動をスムーズにすべく、橋脚１００と部材架設用移動台車２０の荷台との間には、滑り板１０１ａなどの低摩擦部材を予め設けておくことが好ましい。
【００３０】
このようにして吊り上げられた橋脚１００を、架設時の組み付け状態となるように固定手段２５でエレクションタワー２３に固定する。さらに、ウインチ２４ｃをワイヤ２４ａからワイヤ２６ｃに切り替えて昇降板２６ｂ及び橋脚１００を昇降させることで、架設時の組み付け場所に応じた高さに調整することができる。以上により、荷取り作業が完了する。
【００３１】
続く搬送作業では、橋脚１００を保持したまま、荷取り場所から離れた架設場所まで部材架設用移動台車２０を走行させる。
架設現場に到着後は、そのまま架設作業へと移行する。すなわち、橋脚１００を、設置位置の上方に来るように車体２２を移動させ、さらには、鉛直度測定装置により橋脚１００の鉛直度を確認する。その結果、鉛直度の修正が必要であると判断された場合には、前記レベル調整機構により車体２２の傾きや、前記固定部材２５Ａの横方向移動機構を調整し、橋脚１００の鉛直度を確保する。そして、ウインチ２４ｃを逆回転させることで、昇降板２６ｂとともに橋脚１００を下ろしながら、その据え付け場所に設置する。この状態が、図４（ｂ）の状態である。
【００３２】
さらに、橋脚１００の固定が完了した後、固定手段２５の解除とワイヤ２６ｃの分離とを行い、部材架設用移動台車２０の撤去を行うことで、架設作業が完了する。
以上のようにして、橋脚１００の荷取り作業と、搬送作業と、据え付け作業とを連続して行う。そして、この一連の作業を繰り返すことで、橋梁の架設が完了する。
【００３３】
なお、架設現場の上空に障害物があり、エレクションタワー２３の上端がこの障害物に干渉する虞がある場合には、例えば図５に示すように、荷取り作業完了後のエレクションタワー２３から上端分割部２３ｘを撤去することで、エレクションタワー２３の高さを低くすることができ、障害物との干渉を回避することが可能となる。
【００３４】
以上説明の本実施形態の部材架設用移動台車２０によれば、各作業間での橋脚１００の受け渡し作業が不要となるので、荷取りから架設までを連続して行うことが可能となる。これにより、作業時間の短縮化と、作業性の向上と、作業コストの減少と、安全性の向上と、所用作業ヤード面積の縮小化との全てが達成可能になる。
また、本実施形態の部材架設用移動台車２０によれば、組み付け場所の高さに応じて、組み付け時における橋脚１００の高さを調整可能としている。したがって、上空に架線や高架橋などの障害物があっても、容易に架設することが可能となる。
【００３５】
また、本実施形態の部材架設用移動台車によれば、方向転換せずに何れの水平方向にも移動可能であるため、狭い架設場所への進入ならびに狭い架設場所からの撤収が可能となる。また、部材を架設する際の微妙な位置調整も可能としている。
また、本実施形態の部材架設用移動台車２０によれば、常にエレクションタワー２３の鉛直度を一定に保てるので、車体２２の転倒などを防止することが可能となっている。
【００３６】
なお、上記実施形態では、鉛直方向に長い橋脚１００を鉛直に架設する場合について説明したが、これに限らず、例えば図６（ａ）〜（ｃ）に示すように、部材架設用移動台車２０を複数台用いることにより、水平方向に長い梁状部材１００Ａ（部材）を水平に寝かせたまま、その荷取りと搬送と据え付けを行うことも可能である。
すなわち、図６（ａ）は、天井１００Ｂの下面に対して梁状部材１００Ａを架設する場合を示しており、２台の部材架設用移動台車２０により、梁状部材１００Ａの両端を保持して荷取りし、そのまま、搬送、そして天井１００Ｂへの架設を行う。この場合においても、荷取りから架設までを連続して行うことが可能となる。
【００３７】
また、図６（ｂ）は、梁状部材１００Ａを地中に埋設する場合を示しており、２台の部材架設用移動台車２０により、梁状部材１００Ａの両端を保持して荷取りし、そのまま、搬送、そして地中への埋設を行う。この場合においても、荷取りから架設までを連続して行うことが可能となる。
【００３８】
また、図６（ｃ）は、梁状部材１００Ａを上空の梁部材１００Ｃ，１００Ｄ間の隙間に挿入するように架設する場合を示しており、２台の部材架設用移動台車２０により、梁状部材１００Ａの両端を保持して荷取りし、そのまま、搬送、そして、梁部材１００Ｃ，１００Ｄ間に挿入して架設する。この場合においても、荷取りから架設までを連続して行うことが可能となる。
【００３９】
なお、上記実施形態では、単純形状の橋脚１００を架設する場合を例に説明したが、これに限らず、図７（ａ），（ｂ）及び図８（ａ），（ｂ）に示すように、エレクションタワー２３の側方に張り出す補間部材を取り付けることで、複雑な形状の部材をもエレクションタワー２３に保持させることが可能である。この構成によれば、幅広い形状の部材の架設に応用することが可能となる。また、天井への部材の取り付けなど、従来では施工困難な場所への架設も容易に行えるようになる。
【００４０】
すなわち、例えば図７（ａ）に示す例では、エレクションタワー２３の側部上側に、補間部材３０を取り付けることで、ベースプレート１００Ｄ１を下端に有する柱基部１００Ｄを保持している。
また、図７（ｂ）に示す例では、エレクションタワー２３の側部下側に、補間部材３１を取り付けることで、隅角部１００Ｅ１を上端に有する橋脚１００Ｅを保持している。
また、図８（ａ）に示す例では、エレクションタワー２３の側部上側に、補間部材３２を取り付けることで、四角ブロック形状のアンカーフレームを保持している。
また、図８（ｂ）に示す例では、エレクションタワー２３の側部に、昇降する補間部材３３を取り付けることで、これを昇降架台として利用でき、例えば天井面１００Ｇへの部材１００Ｆの取り付けが可能となる。
【００４１】
なお、上記実施形態では、部材架設用移動台車２０を、荷取り場から架設場所に橋梁部材を移動させて架設する用途に適用した場合を例に説明したが、これに限らず、例えば図９に示すように、荷下ろし場所で大組み立てを行ってから、架設場所に搬送する用途に用いても良い。すなわち、同図に示すように、まず、部材架設用移動台車２０によって基部１００Ｈを荷下ろし場所に仮設し、さらにその上に、部材架設用移動台車２０によって中間部１００Ｉを積み上げて組み立てる。このようにして大組み立てされた橋梁部材を、また部材架設用移動台車２０により吊り上げ、架設場所まで搬送して架設する。
【００４２】
【発明の効果】
本発明の請求項１に記載の部材架設用移動台車は、複数の自走式走行輪と、車体と、エレクションタワーと、吊り込み装置と、固定手段とを備える構成を採用した。この構成によれば、部材の受け渡し作業が不要となるので、荷取りから架設までを連続して行うことが可能となる。また台車中心に部材を押さえて移動・架設するので横方向へは転倒しないことから、クレーンのようなアウトリガーが不要な構造となる。これにより、作業時間の短縮化と、作業性の向上と、作業コストの減少と、安全性の向上と、所用作業ヤード面積の縮小化との全てが達成可能になる。
【００４３】
また、請求項２に記載の部材架設用移動台車は、エレクションタワーに固定された部材を昇降させる昇降装置をさらに備える構成を採用した。この構成によれば、組み付け場所の高さに応じて、組み付け時における部材のみの高さを調整することが可能となる。したがって、上空に架線や高架橋などの障害物があっても、容易に架設することが可能となる。
【００４４】
また、請求項３に記載の部材架設用移動台車は、各自走式走行輪が走行方向を転換可能である構成を採用した。この構成によれば、方向転換せずに何れの水平方向にも移動可能であるため、狭い架設場所への進入ならびに狭い架設場所からの撤収が可能となる。また、部材を架設する際の微妙な位置調整も可能となる。
【００４５】
また、請求項４に記載の部材架設用移動台車は、車体が、走行面に対する自らの傾きが調整可能である構成を採用した。この構成によれば、常にエレクションタワーの鉛直度を一定に保てるので、車体の転倒などを防止することが可能となる。
【００４６】
また、請求項５に記載の部材架設用移動台車は、車体にカウンターウェイトを設ける構成を採用した。この構成によれば、カウンターウェイトによって重心位置の偏りを相殺することができるので、車体の転倒をより確実に防ぐことが可能となる。
【００４７】
また、請求項６に記載の部材架設用移動台車は、部材の鉛直度を測定する鉛直度測定手段を備える構成を採用した。この構成によれば、架設時における部材の組み付け精度を高めることが可能となる。
【００４８】
また、請求項７に記載の部材架設用移動台車は、エレクションタワーが高さ調整可能である構成を採用した。この構成によれば、上空に架線や高架橋などの障害物があっても、容易に部材を架設することが可能となる。
【００４９】
また、請求項８に記載の部材架設用移動台車は、エレクションタワーに補間部材を備える構成を採用した。この構成によれば、幅広い形状の部材の架設に応用することが可能となる。また、天井への部材の取り付けなど、従来では施工困難な場所への架設も容易に行えるようになる。
【００５０】
本発明の請求項９に記載の、部材架設用移動台車を用いた橋梁部材架設方法は、部材の荷取りと搬送と据え付け作業とを連続して行う方法を採用した。この方法によれば、作業時間の短縮化と、作業性の向上と、作業コストの減少と、安全性の向上と、所用作業ヤード面積の縮小化との全てが達成可能になる。
【００５１】
また、請求項１０に記載の、部材架設用移動台車を用いた橋梁部材架設方法は、部材架設用移動台車を少なくとも２台以上用いて、水平に寝かせたままの部材の荷取りから据え付けまで行う方法を採用した。この方法によれば、水平方向に長い梁状部材の架設も行うことが可能となる。
【図面の簡単な説明】
【図１】本発明の部材架設用移動台車の一実施形態を示す側面図である。
【図２】同部材架設用移動台車の要部を示す図であって、（ａ）は平面図、（ｂ）は（ａ）のＡ部拡大図である。
【図３】同部材架設用移動台車の要部を示す図であって、図２（ａ）に相当する平面図である。
【図４】同部材架設用移動台車による橋脚の架設方法を示す図であって、（ａ）は荷取り作業、（ｂ）は架設作業を示している。
【図５】同部材架設用移動台車による橋脚の架設方法を示す図であって、架設時に、上空に障害物がある場合の架設方法を示す説明図である。
【図６】（ａ），（ｂ），（ｃ）ともに、同部材架設用移動台車による橋梁の架設方法を示す図であって、水平方向に長い橋梁部材を水平に架設する場合の説明図である。
【図７】同部材架設用移動台車により、変形した橋梁部材を架設する場合を説明するための図であって、（ａ）は柱基部、（ｂ）は隅角部を架設する場合を示している。
【図８】同部材架設用移動台車により、他の変形した橋梁部材を架設する場合を説明するための図であって、（ａ）はアンカーフレーム、（ｂ）は天井面張り付け用の橋梁部材を架設する場合を示している。
【図９】同部材架設用移動台車による橋脚の架設方法の変形例を示す図である。
【図１０】従来のクレーンを用いた橋脚架設方法を説明するための図であって、広いヤード幅が確保できる場合の平面図である。
【図１１】従来のクレーンを用いた他の橋脚架設方法を説明するための図であって、狭いヤード幅でなおかつ荷取り場と架設場とが離れている場合の平面図である。
【符号の説明】
２０・・・部材架設用移動台車
２１・・・自走式走行輪
２２・・・車体
２３・・・エレクションタワー
２４・・・吊り込み装置
２５・・・固定手段
２６・・・昇降装置
２７・・・カウンターウェイト
３０，３１，３２，３３・・・補間部材
１００・・・橋脚（部材）
【図１】
2004115174.tif 000003
【図２】
2004115174.tif 000004
【図３】
2004115174.tif 000005
【図４】
2004115174.tif 000006
【図５】
2004115174.tif 000007
【図６】
2004115174.tif 000008
【図７】
2004115174.tif 000009
【図８】
2004115174.tif 000010
【図９】
2004115174.tif 000011
【図１０】
2004115174.tif 000012
【図１１】
2004115174.tif 000013